(57)【要約】【課題】悪者をたやすく逃がすことがなく迅速に逮捕できて、遠隔からの操作の利便性がよいこと。【解決手段】回路板と、スプレー液及び高圧ガスを貯蔵した貯液瓶と、スプレー液のスプレーに用いられる電動バルブと、スプレーヘッドに連接される導液チューブと、連接導線を経由して回路板に接続される一つの作動ボタンとを備える。偽装体に延伸導管を介してスプレーヘッドを装備させる。【選択図】図１
0003157457.tif 000002
【実用新案登録請求の範囲】
【請求項１】
防盗防奪スプレー装置であって、
回路板と、
内部に接触者の機嫌を悪くし、一定時間のあいだ接触者の身動きをできなくする性質のスプレー液及び高圧ガスを貯蔵した貯液瓶と、
手動バルブの外端に位置し、スプレー液のスプレーに用いられる電動バルブと、
その第一端は電動バルブに連接され、それの第二端は取り外し可能なスプレーヘッドに連接される導液チューブと、
高電圧のＡＣ電流を低電圧のＤＣ電流に転換し、ＤＣ電流を電動バルブに提供して電動バルブを始動させる交直流転換器と、
連接導線を経由して回路板の接点に接続される少なくとも一つの作動ボタンとを備えることを特徴とする防盗防奪スプレー装置。
【請求項２】
スプレー装置は更に二つ以上の作動ボタンを備え、二つ以上の作動ボタンを違った位置に設置することを特徴とする請求項１記載の防盗防奪スプレー装置。
【請求項３】
スプレー装置は更に交直流転換器の出力端のＤＣ電圧値を表すことに用いられる電圧計を備えることを特徴とする請求項１記載の防盗防奪スプレー装置。
【請求項４】
スプレー装置は更に電動バルブに対する作動時間の設定に用いられるタイマーを備えることを特徴とする請求項１記載の防盗防奪スプレー装置。
【請求項５】
スプレー装置は更に貯液瓶瓶口の鋼管の外端に位置し、使用者に手動方式で貯液瓶を開閉させる手動バルブを備えることを特徴とする請求項１記載の防盗防奪スプレー装置。
【請求項６】
前記貯液瓶は瓶口を備え、瓶口には鋼管が連接されて圧力計に連接し、圧力計は貯液瓶内の圧力を表すことに用いられることを特徴とする請求項１記載の防盗防奪スプレー装置。
【請求項７】
スプレー装置は更に電力を提供することに用いられる蓄電池を備え、蓄電池の一端には導線が接続されて蓄電池の電力を回路板に給電し、蓄電池は外部電力が中断した状況下に於いても給電できるようにしたことを特徴とする請求項１記載の防盗防奪スプレー装置。
【請求項８】
前記ＤＣ電気は蓄電池に対して充電を行うことを特徴とする請求項７記載の防盗防奪スプレー装置。
【請求項９】
スプレー装置は更に延伸導管と偽装体とを備え、延伸導管の第一端が導液チューブの第二端に連接され、その第二端が別のスプレーヘッドに連接されてスプレー液を遠い位置へ導くことができ、偽装体には延伸導管の第二端及びスプレーヘッドが露出しないように取り付けられたことを特徴とする請求項１記載の防盗防奪スプレー装置。
【請求項１０】
スプレー装置は更に貯液瓶、電動バルブ、回路板、電池、導液チューブ等の関連部材の取り付けに用いられる機器箱を備え、機器箱の下側には開口があり、スプレーヘッドは開口から伸び出てスプレー液を噴出すことができることを特徴とする請求項１記載の防盗防奪スプレー装置。
【請求項１１】
前記スプレー液は純水、水性唐辛子液、からし香料、天然ナノ抑菌剤、乳化剤及びソルビン酸カリュウムの混合物であることを特徴とする請求項１記載の防盗防奪スプレー装置。
【請求項１２】
スプレー装置は更に赤外線またはＲＦ測知システムを備え、赤外線またはＲＦ測知システムは異常な人為動作を側知することができ、偵測器によって電動バルブを作動するとスプレー液を噴出可能に構成したことを特徴とする請求項１記載の防盗防奪スプレー装置。
【考案の詳細な説明】
【技術分野】
【０００１】
本考案は防盗防奪スプレー（spray）装置（悪者撃退スプレー装置）に関するもので、特に迅速に悪者を逮捕することができ、かつ作用面積が広いので、悪者はたやすく逃げることができなく、且つスプレーヘッド（spray head）を遠隔に隠して操作の利便性を達成できる防盗防奪スプレー装置に関するものである。
【背景技術】
【０００２】
最近では強奪事件が絶えず、銀行、貴金属店、スーパーマーケット（super market）、現金輸送車に広がり、甚だしくは一般市民さえも奪われる。そのために刑事事件が日毎に増え、人々の生活に益々恐怖と不安が広がっている。通常、大多数の犯罪行為者は事件後に迅速に現場から逃走すれば逃げ隠れできるチャンス（chance）と考えている。このことは事件現場から逃げ果せた犯罪者を逮捕するのが難しいからである。事実上、事件を解決する鍵は迅速かつ即時に悪者を逮捕することにある。
【０００３】
従来技術には悪者が現場から逃げ離れる欠点があり、悪者を逮捕しようとすると難しさがかなり高くなる。また従来技術は作用範囲が極めて小さいので、悪者が逃げ易くなる。
【０００４】
従来技術にはそれぞれ前述した欠点があるので、斬新な設備によって前述した欠点を改善する必要がある。
【考案の概要】
【考案が解決しようとする課題】
【０００５】
本考案の目的は防盗防奪スプレー装置を提出することで、それは迅速に悪者を逮捕することができ、かつ作用面積が広いので、悪者がたやすく逃げることができず、且つスプレーヘッドが遠隔距離に隠して操作の利便性を達成することにある。
【課題を解決するための手段】
【０００６】
本考案に係る防盗防奪スプレー装置は、回路板と、中にスプレー液及び高圧ガスが貯存され、スプレー液は接触者を極端に機嫌が悪くし、ある時間内に於いて動作できないようにする貯液瓶と、手動バルブの外端に位置し、スプレー液のスプレーに用いられる電動バルブと、それの第一端は電動バルブに連接され、それの第二端は取り外し可能なスプレーヘッドに連接される導液チューブと、それは高電圧のＡＣ電流を低電圧のＤＣ電流に転換し、ＤＣ電流を電動バルブに提供して電動バルブを始動させる交直流転換器と、連接導線を経由して回路板の接点に接続される最少一つの作動ボタンとを備えることを特徴とする防盗防奪スプレー装置を提供する。
前記スプレー装置には更に最少二つ以上の作動ボタンを備え、違った位置に設置されることを特徴とする。
前記スプレー装置には更に交直流転換器の出力端のＤＣ電圧値を表すことに用いられる電圧計を備えることを特徴とする。
前記スプレー装置には更に電動バルブに対する作動時間の設定に用いられるタイマーを備えることを特徴とする。
前記スプレー装置には更に貯液瓶瓶口の鋼管の外端に位置し、使用者に手動方式で貯液瓶を開閉させる手動バルブを備えることを特徴とする。
前記貯液瓶は瓶口を備え、瓶口には鋼管が連接されて圧力計に連接し、圧力計は貯液瓶内の圧力を表すことに用いられることを特徴とする。
前記スプレー装置には更に電力を提供することに用いられる蓄電池を備え、蓄電池の一端には導線が接続されて蓄電池の電力を回路板に引きつなぎ、それによって電力は回路板を経由して本考案の其の他部材に提供することができ、蓄電池は本考案の装置に電力が中断した状況下に於いても依然運転できるようにすることを特徴とする。
前記ＤＣ電気は蓄電池に対して充電を行うことを特徴とする。
前記スプレー装置には更にそれの第一端は導液チューブの第二端に連接され、それの第二端は別のスプレーヘッドに連接され、それによってスプレー液を遠い位置へ導くことができる延伸導管と、延伸導管の第二端及びスプレーヘッドが取り付けられ、それによって延伸導管及びスプレーヘッドは露出しない偽装体とを備えることを特徴とする。
前記スプレー装置には更に上述貯液瓶、電動バルブ、回路板、電池、導液チューブ等関連部材の取り付けに用いられる機器箱を備え、機器箱の下側には開口があり、スプレーヘッドは開口から伸び出てスプレー液を噴出すことができることを特徴とする。
前記スプレー液は純水、水性唐辛子液、からし香料、天然ナノ抑菌剤、乳化剤及びソルビン酸カリュウムの混合物であることを特徴とする。
前記スプレー装置には更に赤外線またはＲＦ測知システムを備え、それは異常な人為動作を側知することができ、偵測器によって電動バルブを作動するとスプレー液の噴出を導くことを特徴とする。
【考案の効果】
【０００７】
本考案に係る防盗防奪スプレー装置は、迅速に悪者を逮捕することができ、かつ作用面積が広いので、悪者をたやすく逃がすことがなく、且つスプレーヘッドが遠隔距離に隠して操作の利便性を達成することができる。
【図面の簡単な説明】
【０００８】
【図１】本考案の部材のブロックダイアグラムである。
【図２】本考案の部材の分解図である。
【図３】本考案の部材の組み合わせ図である。
【図４】本考案の延伸導管及び偽装体の組み合わせ図である。
【考案を実施するための形態】
【０００９】
以下に図面を参照しながら本考案について詳細に説明する。
【００１０】
図１、図２及び図４に示すように、本考案の防盗防奪スプレー装置は回路板５０、蓄電池２０、貯液瓶１０、手動バルブ１３、電動バルブ１４、導液チューブ１５、交直流転換器３０、電圧計４０、タイマー６０、作動ボタン７０、延伸導管８０、偽装体８２、およびスイッチ９０を含む。
【００１１】
回路板５０には本考案に使用される関連電子部品と回路が形成されている。
【００１２】
蓄電池２０は本考案に関連するすべての部材に電力を提供する。蓄電池２０の一端には導線が接続されて蓄電池の電力を回路板５０に引きつなぎ、それによって電力は回路板５０を経由して本考案の其の他部材に提供する。蓄電池２０は本考案の装置に電力が中断した状況でも依然運転できるようにする。
【００１３】
貯液瓶１０にはスプレー液及び高圧窒素が貯蔵される。スプレー液は接触者を極端に機嫌が悪くし、ある時間内に於いて動作できないようにする。一般に瓶内の圧力は１０ｋｇｗ以上にして充分な圧力が発生し、スプレー液が噴出するよう駆動する。貯液瓶１０には瓶口があり、瓶口には鋼管１２が連接されて圧力計１１に連接し、圧力計１１は貯液瓶１０内の圧力を表す。瓶口が開けられると、瓶内の高圧はスプレー液を駆動してスプレー液は高圧で噴出す。
【００１４】
手動バルブ（valve）１３は貯液瓶１０の瓶口に連接される鋼管１２の外端に位置する。手動バルブ１３は使用者に手動方式で電動バルブが正常に運転するかをテスト（test）する。
【００１５】
電動バルブ１４は手動バルブの外端に位置し、スプレー液のスプレーに用いられる。
【００１６】
導液チューブ（tube）１５の第一端は電動バルブ１４に連接され、別の導液チューブの第二端は取り外し可能なスプレーヘッド１６に連接される。
【００１７】
交直流転換器３０は高電圧（例えば１２０ボルト）のＡＣ電流を低電圧（例えば２４ボルト）のＤＣ電流に転換し、ＤＣ電流を電動バルブ１４に提供して電動バルブ１４を始動させ、一方にＤＣ電流は蓄電池２０に提供して蓄電池２０を充電する。
【００１８】
電圧計４０は交直流転換器３０の出力端のＤＣ電圧値を表すことに用いられる。本考案に於いて、電圧計４０は回路板５０に取り付けられる。
【００１９】
タイマー（timer）６０は電動バルブ１４に対する作動時間の設定に用いられる。本考案に於いて、電動バルブの作動時間の設定は６秒間であり、タイマーは回路板に取り付けられる。
【００２０】
少なくとも一つの作動ボタン（button）７０は連接導線を経由して回路板５０の接点に接続される。本考案のよりよい例として、二つ以上の作動ボタン７０を備える。二つ以上の作動ボタン７０を違う位置に設置できるので、使用者は違った位置で本考案の設備を作動することができる。
【００２１】
延伸導管８０の第一端は導液チューブ１５の第二端に連接され、延伸導管８０の第二端は別のスプレーヘッド８１に連接される。延伸導管８０によってスプレー液を遠距離に導接することができる。
【００２２】
偽装体８２には延伸導管８０の第二端及びスプレーヘッド８１が取り付けられる。延伸導管８０及びスプレーヘッド８１が外へ露出しないようにし、スプレーヘッド８１の液体の噴出を妨害しない。偽装体８２は主として他人が延伸導管８０及びスプレーヘッド８１を見えないようにし、延伸導管８０及びスプレーヘッド８１を隠す目的である。
【００２３】
本考案は更に機器箱１００を備える。機器箱１００は上述貯液瓶、電動バルブ、回路板、電池、導液チューブ等関連部材の取り付けに用いられる。機器箱１００の下側には開口がある。スプレーヘッドは開口から伸び出てスプレー液を噴出すことができる。機器箱の側辺にも孔がある。導線は機器箱から伸び出て作動ボタンに接続される。作動ボタンは遠距離に取り付けられてもよく、それによって使用者は遠距離から本考案の電動ボタンを操作し、貯液瓶のスプレー液は導液チューブを経由してスプレーヘッドから噴出すことができる。
【００２４】
本考案は更にスイッチ９０を備える。それは電動バルブ３０のオンオフ（on‐off）に用いられる。
【００２５】
図３は本考案の取り付け例を示す。貯液瓶１０は機器箱１００の左下に取り付けられる。貯液瓶１０は瓶口を備える。瓶口は鋼管に連接し、かつ圧力計１１に連接される。手動バルブ１３は貯液瓶１０の瓶口の鋼管の外端に位置し、電動バルブは手動バルブ１３の外端に位置する。導液チューブ１５の第一端は電動バルブに連接し、第二端は取り外し可能なスプレーヘッド１６に連接する。回路板５０には本考案に使用される関連回路部材が取り付けられる。圧力計４０及びタイマー６０はともに回路板５０に取り付けられる。交直流転換器３０の一端はＡＣ入力で、外の一端はＤＣ出力であり、ＤＣ出力端は電動バルブ及び蓄電池２０に連接される。
【００２６】
本考案は赤外線またはＲＦ測知システム９５と共用すると、異常な人為動作を側知することができるので、偵測器によって電動バルブを作動するとスプレー液の噴出を導き、防盗防奪の効果が生じる。
【００２７】
本考案の使用方法は前記機器箱１００を高処、例えばドアーの上側に取り付ける。作動ボタン７０は電動バルブを始動してスプレー液が貯液瓶１０の中から噴出される。作動ボタン７０は使用者の身近い、発覚しにくい、かつ操作しやすい場所に取り付ける。偽装体は悪者が通りやすい個所に取り付ける。
【００２８】
スプレー液は純水、水性唐辛子液、からし香料、天然ナノ（nano）抑菌剤、乳化剤及びソルビン酸カリュウム（Potassium Sorbate）の混合物等でよい。それは噴きつけられた人に極度にむせた感覚を起こし、短い時間に於いて動作できなくなるが、人体には傷害を起こさない。
【００２９】
以上の詳細説明は本考案の実行可能な実施例に対する具体的説明であるが、前記実施例は本考案の特許範囲を制限するものではなく、およそ本考案の技術精神を離脱しないで行った同等効果の実施または変更は、すべて本考案の特許範囲に含まれるべきである。
【符号の説明】
【００３０】
１０    貯液瓶
１１    圧力計
１２    鋼管
１３    手動バルブ
１４    電動バルブ
１５    導液チューブ
２０    蓄電池
３０    交直流転換器
４０    電圧計
５０    回路板
６０    タイマー
７０    作動ボタン
８０    延伸導管
８１    スプレーヘッド
９０    スイッチ
９５    ＲＦ測知システム
１００    機器箱
【図１】
0003157457.tif 000003
【図２】
0003157457.tif 000004
【図３】
0003157457.tif 000005
【図４】
0003157457.tif 000006